(57)【要約】      （修正有）【課題】未使用時に畳まれた状態を維持してコンパクトにすることができ、使用時に畳まれた状態から拡げられた状態に容易に変形させることができる物品収容容器を提供する。【解決手段】物品収容容器１０Ａの畳まれた状態では、後半フラップ５４と前半フラップ５５とが第１折曲線５３によって折り曲げられ、後半フラップ５４が第２プレート１２の内面の側に位置して上下方向へ延在し、第１下方フラップ３８と前半フラップ５５とが第１プレート１１の内面の側に位置して上下方向へ延在するとともに、第１下方フラップ３８の自由部が第１折曲線５３から上方へ延在し、物品収容容器１０Ａの拡げられた状態では、後半フラップ５４と前半フラップ５５とが第１折曲線５３を中心に展開して略一列に並ぶとともに、第１下方フラップ３８の自由部が前半フラップ５５の上面に位置し、第１および第２プレート１１、１２の内面どうしが離間して所定容積の内部空間が画成される。【選択図】図１
0003209999.tif 000002
【実用新案登録請求の範囲】
【請求項１】
前後方向へ互いに対向する所定面積の第１プレートおよび第２プレートと、前記第１および第２プレートの側方に位置する各側方プレートと、下方開口を塞ぐ所定面積の下方フラップとを備え、前記第１および第２プレートが当接するように畳まれた状態と該第１および第２プレートが離間するように拡げられた状態とに変形させることが可能であり、前記拡げられた状態で内部空間に所定の物品を収容する物品収容容器において、
前記下方フラップが、前記第１プレートの下端縁に連接された第１下方フラップと、前記第２プレートの下端縁に連接された第２下方フラップとから形成され、前記第２下方フラップが、幅方向へ延びる第１折曲線によって二分されて前記第２プレートの側に位置する後半フラップと、前記第１プレートの側に位置する前半フラップとに区分され、前記後半フラップが、その一方の側部の側縁に連接されて前記第２プレートの一方の側部に固定された第１固定代と、その他方の側部の側縁に連接されて前記第２プレートの他方の側部に固定された第２固定代とを有し、前記第１下方フラップが、前記前半フラップの中央に連結された連結部と、前記連結部に連接されて前記第１折曲線を越えて直状に延びる自由部とを有し、
前記物品収容容器の畳まれた状態では、前記後半フラップと前記前半フラップとが前記第１折曲線によって折り曲げられ、前記後半フラップが前記第２プレートの内面の側に位置して上下方向へ延在し、前記第１下方フラップと前記前半フラップとが前記第１プレートの内面の側に位置して上下方向へ延在するとともに、前記第１下方フラップの自由部が前記第１折曲線から上方へ延在し、前記物品収容容器の拡げられた状態では、前記後半フラップと前記前半フラップとが前記第１折曲線を中心に展開して略一列に並ぶとともに、前記第１下方フラップの自由部が前記前半フラップの上面に位置し、前記第１および第２プレートの内面どうしが離間して所定容積の前記内部空間が画成されることを特徴とする物品収容容器。
【請求項２】
前記後半フラップの両側部と前記前半フラップの両側部とが、幅方向外方へ向かうにつれて先細りとなり、前記物品収容容器の畳まれた状態では、前記後半フラップの両側部が前記第２プレートの内面の側に位置して上下方向へ延在し、前記前半フラップの両側部が前記第１プレートの内面の側に位置して上下方向へ延在し、前記物品収容容器の拡げられた状態では、前記後半フラップの両側部がその側縁を中心に折り曲げられ、前記後半フラップの側部と前記前半フラップの側部とが前記第１折曲線を中心に展開して略一列に並ぶ請求項１に記載の物品収容容器。
【請求項３】
それら側方プレートには、上下方向へ延びる第２折曲線が形成され、前記物品収容容器の畳まれた状態では、それら側方プレートが前記第２折曲線を中心に折り曲げられ、前記物品収容容器の拡げられた状態では、前記後半フラップの側部の外周縁と前記前半フラップの側部の外周縁とが前記側方プレートに当接し、それら側方プレートが前記後半フラップの側部の外周縁と前記前半フラップの側部の外周縁とに沿って幅方向外方へ凸となるように弧を画く請求項２に記載の物品収容容器。
【請求項４】
前記第１下方フラップの両側部が、幅方向外方へ向かうにつれて先細りとなり、前記第１下方フラップが、その一方の側部の側縁に連接されて前記第１プレートの一方の側部に固定された第３固定代と、その他方の側部の側縁に連接されて前記第１プレートの他方の側部に固定された第４固定代とを有し、前記物品収容容器の畳まれた状態では、前記第１下方フラップの両側部が前記第１プレートの内面の側に位置して上下方向へ延在し、前記物品収容容器の拡げられた状態では、前記第１下方フラップの両側部がその側縁を中心に折り曲げられて前記前半フラップの側部の上面に位置する請求項３に記載の物品収容容器。
【請求項５】
前記第１および第２固定代を連接した前記後半フラップの各側部の側縁が、幅方向外方へ向かうにつれて前記第１および第２プレートの上端縁に向かって上り勾配に傾斜し、前記第３および第４固定代を連接した前記第１下方フラップの各側部の側縁が、幅方向外方へ向かうにつれて前記第１および第２プレートの上端縁に向かって上り勾配に傾斜している請求項４に記載の物品収容容器。
【請求項６】
前記後半フラップおよび前半フラップの両側部と前記第１下方フラップの両側部とには、前後方向へ延びる第３折曲線が形成され、前記物品収容容器の拡げられた状態では、前記後半フラップおよび前半フラップの両側部と前記第１下方フラップの両側部とが前記第３折曲線を中心に折り曲げられて幅方向外方へ向かうにつれて前記第１および第２プレートの上端縁に向かって上り勾配に傾斜しつつ略一列に並ぶ請求項５に記載の物品収容容器。
【考案の詳細な説明】
【技術分野】
【０００１】
本考案は、内部に所定の物品を収納する物品収容容器に関する。
【背景技術】
【０００２】
前後方向へ互いに対向する所定面積の前面プレートおよび後面プレートと、前後面２プレートの側縁に連接された側面プレートと、下方開口を塞ぐ所定面積の底面フラップとを備え、前後面プレートが当接するように畳まれた状態と前後面プレートが離間するように拡げられた状態とに変形させることが可能であり、拡げられた状態で内部空間に所定の物品を収容する物品収容容器が使用されている。そのような物品収容容器が実用新案登録第３１６１６６３号公報に開示されている（特許文献１参照）。
【先行技術文献】
【特許文献】
【０００３】
【特許文献１】実用新案登録第３１６１６６３号公報
【考案の概要】
【考案が解決しようとする課題】
【０００４】
前記特許文献１に開示の物品収容容器は、それぞれが折り目にて区分けされる背面領域、第一脚領域、底面領域、第二脚領域、正面領域がこの順に直列的に配列され、第一脚領域と背面領域とが重ね合わされ、第二脚領域と正面領域とが重ね合わされ、底面領域は、背面領域と第一脚領域の境界線および第二脚領域と正面領域の境界線の全部または一部にて載置面に接地される第一脚と第二脚とに支えられ、載置面から上げ底されるように折り曲げられることで形成され、背面領域、第一脚領域、第二脚領域、正面領域を重ね合わせた組立中間体にて、底面折曲線で折り曲げられて一方が背面領域側に近く、他の一方が正面領域側に近く分けて重ね合わされており、重ね合わされて閉じられた開口予定側を上に置いた状態で左右から組立中間体を押圧することで、底面領域の底面折曲線が下方に移動しつつ、重ね合わされた底面領域の一方と他方とが相互に開くことで完成体の底面が構成される。この物品収容容器は、組立中間体に加えた押圧力を解除すると、畳まれた状態に容易に変形するから、押圧力を加えていない場合において拡げられた状態を維持することが難しい。
【０００５】
本考案の目的は、未使用時に畳まれた状態を維持してコンパクトにすることができ、未使用時に嵩張ることなく保管することができる物品収容容器を提供することにある。本考案の他の目的は、使用時に畳まれた状態から拡げられた状態に容易に変形させることができ、拡げられた状態を維持することができる物品収容容器を提供することにある。
【課題を解決するための手段】
【０００６】
前記課題を解決するための本考案の前提は、前後方向へ互いに対向する所定面積の第１プレートおよび第２プレートと、第１および第２プレートの側方に位置する各側方プレートと、下方開口を塞ぐ所定面積の下方フラップとを備え、第１および第２プレートが当接するように畳まれた状態と第１および第２プレートが離間するように拡げられた状態とに変形させることが可能であり、拡げられた状態で内部空間に所定の物品を収容する物品収容容器である。
【０００７】
前記前提における本考案の特徴としては、下方フラップが、第１プレートの下端縁に連接された第１下方フラップと、第２プレートの下端縁に連接された第２下方フラップとから形成され、第２下方フラップが、幅方向へ延びる第１折曲線によって二分されて第２プレートの側に位置する後半フラップと、第１プレートの側に位置する前半フラップとに区分され、後半フラップが、その一方の側部の側縁に連接されて第２プレートの一方の側部に固定された第１固定代と、その他方の側部の側縁に連接されて第２プレートの他方の側部に固定された第２固定代とを有し、第１下方フラップが、前半フラップの中央に連結された連結部と、連結部に連接されて第１折曲線を越えて直状に延びる自由部とを有し、物品収容容器の畳まれた状態では、後半フラップと前半フラップとが第１折曲線によって折り曲げられ、後半フラップが第２プレートの内面の側に位置して上下方向へ延在し、第１下方フラップと前半フラップとが第１プレートの内面の側に位置して上下方向へ延在するとともに、第１下方フラップの自由部が第１折曲線から上方へ延在し、物品収容容器の拡げられた状態では、後半フラップと前半フラップとが第１折曲線を中心に展開して略一列に並ぶとともに、第１下方フラップの自由部が前記前半フラップの上面に位置し、第１および第２プレートの内面どうしが離間して所定容積の内部空間が画成されることにある。
【０００８】
本考案の一例としては、後半フラップの両側部と前半フラップの両側部とが、幅方向外方へ向かうにつれて先細りとなり、物品収容容器の畳まれた状態では、後半フラップの両側部が第２プレートの内面の側に位置して上下方向へ延在し、前半フラップの両側部が第１プレートの内面の側に位置して上下方向へ延在し、物品収容容器の拡げられた状態では、後半フラップの両側部がその側縁を中心に折り曲げられ、後半フラップの側部と前半フラップの側部とが第１折曲線を中心に展開して略一列に並ぶ。
【０００９】
本考案の他の一例として、それら側方プレートには、上下方向へ延びる第２折曲線が形成され、物品収容容器の畳まれた状態では、それら側方プレートが第２折曲線を中心に折り曲げられ、物品収容容器の拡げられた状態では、後半フラップの側部の外周縁と前半フラップの側部の外周縁とが側方プレートに当接し、それら側方プレートが後半フラップの側部の外周縁と前半フラップの側部の外周縁とに沿って幅方向外方へ凸となるように弧を画く。
【００１０】
本考案の他の一例としては、第１下方フラップの両側部が、幅方向外方へ向かうにつれて先細りとなり、第１下方フラップが、その一方の側部の側縁に連接されて第１プレートの一方の側部に固定された第３固定代と、その他方の側部の側縁に連接されて第１プレートの他方の側部に固定された第４固定代とを有し、物品収容容器の畳まれた状態では、第１下方フラップの両側部が第１プレートの内面の側に位置して上下方向へ延在し、物品収容容器の拡げられた状態では、第１下方フラップの両側部がその側縁を中心に折り曲げられて前半フラップの側部の上面に位置する。
【００１１】
本考案の他の一例としては、第１および第２固定代を連接した後半フラップの各側部の側縁が、幅方向外方へ向かうにつれて第１および第２プレートの上端縁に向かって上り勾配に傾斜し、第３および第４固定代を連接した第１下方フラップの各側部の側縁が、幅方向外方へ向かうにつれて第１および第２プレートの上端縁に向かって上り勾配に傾斜している。
【００１２】
本考案の他の一例として、後半フラップおよびフラップの両側部と第１下方フラップの両側部とには、前後方向へ延びる第３折曲線が形成され、物品収容容器の拡げられた状態では、後半フラップおよび前半フラップの両側部と第１下方フラップの両側部とが第３折曲線を中心に折り曲げられて幅方向外方へ向かうにつれて第１および第２プレートの上端縁に向かって上り勾配に傾斜しつつ略一列に並ぶ。
【考案の効果】
【００１３】
請求項１に記載の本考案にかかる物品収容容器によれば、容器が畳まれた状態において、後半フラップと前半フラップとが第１折曲線によって折り曲げられ、後半フラップが第２プレートの内面の側に位置して上下方向へ延在し、第１下方フラップと前半フラップとが第１プレートの内面の側に位置して上下方向へ延在するとともに、第１下方フラップの自由部が第１折曲線から上方へ延在するから、前半フラップや後半フラップ、第１下方フラップが第１および第２プレートに略平行し、第１および第２プレートが当接するように容器の扁平状態が維持され、その未使用時に畳まれた状態を維持してコンパクトにすることができ、未使用時に嵩張ることなく保管することができる。物品収容容器は、第１および第２プレートが離間するように拡げることで、後半フラップと前半フラップとが第１折曲線を中心に展開して略一列に並ぶから、容器の使用時に畳まれた状態から拡げられた状態に容易に変形させることができ、第１および第２プレートの内面どうしが離間することで物品を収容可能な所定容積の内部空間を容易に画成することができる。物品収容容器は、それが拡げられたときに、第１下方フラップの連結部に連接されて直状に延びる第１下方フラップの自由部が前半フラップの上面に位置して前半フラップと後半フラップとを押さえ、第１下方フラップの自由部によって第１折曲線による前半フラップおよび後半フラップの折り曲げが阻止されるから、容器の拡げられた状態を維持することができ、所定容積の内部空間１９に物品を容易に収容することができる。
【００１４】
請求項２に記載の物品収容容器は、それが畳まれた状態において、幅方向外方へ向かうにつれて先細りとなる後半フラップの両側部が第２プレートの内面の側に位置して上下方向へ延在し、幅方向外方へ向かうにつれて先細りとなる前半フラップの両側部が第１プレートの内面の側に位置して上下方向へ延在するから、前半フラップの両側部や後半フラップの両側部が第１および第２プレートに略平行し、第１および第２プレートが当接するように容器の扁平状態が維持され、その未使用時に畳まれた状態を維持してコンパクトにすることができ、未使用時に嵩張ることなく保管することができる。物品収容容器は、第１および第２プレートが離間するように拡げることで、後半フラップの両側部がその側縁を中心に折り曲げられ、後半フラップの側部と前半フラップの側部とが第１折曲線を中心に展開して略一列に並ぶから、容器の使用時に畳まれた状態から拡げられた状態に容易に変形させることができ、第１および第２プレートの内面どうしが離間することで物品を収容可能な所定容積の内部空間を容易に画成することができる。
【００１５】
請求項３に記載の物品収容容器は、それが畳まれた状態において、それら側方プレートが第２折曲線を中心に折り曲げられるから、第１および第２プレートが当接するように容器の扁平状態が維持され、その未使用時に畳まれた状態を維持してコンパクトにすることができ、未使用時に嵩張ることなく保管することができる。物品収容容器は、それが拡げられた状態において、後半フラップの側部の外周縁と前半フラップの側部の外周縁とがそれら側方プレートに当接し、それら側方プレートが後半フラップの側部の外周縁と前半フラップの側部の外周縁とに沿って幅方向外方へ凸となるように弧を画くから、第１および第２プレートの内面どうしを確実に離間させることができ、物品を収容可能な所定容積の内部空間を画成することができる。
【００１６】
請求項４に記載の物品収容容器は、第１下方フラップの両側部が幅方向外方へ向かうにつれて先細りとなり、第１下方フラップがその一方の側部の側縁に連接されて第１プレートの一方の側部に固定された第３固定代とその他方の側部の側縁に連接されて第１プレートの他方の側部に固定された第４固定代とを有し、容器が畳まれた状態において、第１下方フラップの両側部が第１プレートの内面の側に位置して上下方向へ延在するから、第１下方フラップの両側部が第１および第２プレートに略平行し、第１および第２プレートが当接するように容器の扁平状態が維持され、その未使用時に畳まれた状態を維持してコンパクトにすることができ、未使用時に嵩張ることなく保管することができる。物品収容容器は、それが拡げられた状態において、第１下方フラップの両側部がその側縁を中心に折り曲げられて前半フラップの側部の上面に位置するから、容器の使用時に畳まれた状態から拡げられた状態に容易に変形させることができ、物品を収容可能な所定容積の内部空間を容易に画成することができる。
【００１７】
請求項５に記載の物品収容容器は、第１および第２固定代を連接した後半フラップの各側部の側縁が幅方向外方へ向かうにつれて第１および第２プレートの上端縁に向かって上り勾配に傾斜し、第３および第４固定代を連接した第１下方フラップの各側部の側縁が幅方向外方へ向かうにつれて第１および第２プレートの上端縁に向かって上り勾配に傾斜し、容器が拡げられた状態において、後半フラップと第１下方フラップがそれらの側部の側縁において折り曲げられることで、後半フラップや前半フラップ、第１下方フラップが展開して略一列に並ぶから、容器の使用時に畳まれた状態から拡げられた状態に容易に変形させることができ、物品を収容可能な所定容積の内部空間を容易に画成することができる。
【００１８】
請求項６に記載の物品収容容器は、それが拡げられた状態において、後半フラップおよび前半フラップの両側部と第１下方フラップの両側部とが第３折曲線を中心に折り曲げられて幅方向外方へ向かうにつれて第１および第２プレートの上端縁に向かって上り勾配に傾斜しつつ略一列に並ぶから、容器の使用時に畳まれた状態から拡げられた状態に容易に変形させることができ、物品を収容可能な所定容積の内部空間を容易に画成することができる。
【図面の簡単な説明】
【００１９】
【図１】一例として示す物品収容容器の展開平面図。
【図２】畳まれた状態の図１の物品収容容器の正面図。
【図３】畳まれた状態の図１の物品収容容器の背面図。
【図４】畳まれた状態の物品収容容器の底面図。
【図５】畳まれた状態の物品収容容器の上面図。
【図６】拡げられた状態の物品収納容器の斜視図。
【図７】拡げられた状態の物品収納容器の底面図。
【図８】拡げられた状態の物品収納容器の上面図。
【図９】他の一例として示す物品収容容器の展開平面図。
【図１０】畳まれた状態の図９の物品収容容器の正面図。
【図１１】畳まれた状態の図９の物品収容容器の背面図。
【図１２】畳まれた状態の物品収容容器の底面図。
【図１３】畳まれた状態の物品収容容器の上面図。
【図１４】拡げられた状態の物品収納容器の斜視図。
【図１５】拡げられた状態の物品収納容器の底面図。
【図１６】拡げられた状態の物品収納容器の上面図。
【考案を実施するための形態】
【００２０】
一例として示す物品収容容器の展開平面図である図１等の添付の図面を参照し、本考案にかかる物品収納容器の詳細を説明すると、以下のとおりである。なお、図２は、畳まれた状態の物品収納容器１０Ａの正面図であり、図３は、畳まれた状態の物品収容容器１０Ａの背面図である。図４は、畳まれた状態の物品収容容器１０Ａの底面図であり、図５は、畳まれた状態の物品収容容器１０Ａの上面図である。図６は、拡げられた状態の物品収納容器１０Ａの斜視図であり、図７は、拡げられた状態の物品収納容器１０Ａの底面図である。図８は、拡げられた状態の物品収納容器１０Ａの上面図である。図２，図３，図６では、上下方向を矢印Ａ、幅方向を矢印Ｂで示し、前後方向を矢印Ｃで示す。
【００２１】
物品収納容器１０Ａは、互いに対向かつ並行して上下方向へ延びる所定面積の第１プレート１１（前面プレート）および第２プレート１２（後面プレート）と、第１および第２プレート１１，１２の側方に位置する各側方プレート１３，１４（側面プレート）と、容器１０Ａの上方開口１５（頂部開口）を開閉する所定面積の上方フラップ１６（頂面フラップ）と、容器１０Ａの下方開口１７（底部開口）を塞ぐ所定面積の下方フラップ１８（底面フラップ）とを備えている。なお、第１プレート１１が前面プレートになり、第２プレート１２が後面プレートになっているが、第１プレート１１が後面プレートになり、第２プレート１２が前面プレートになっていてもよい。
【００２２】
物品収納容器１０Ａ（物品収納容器１０Ｂを含む）は、第１および第２プレート１１，１２が当接するように畳まれた状態と、第１および第２プレート１１，１２が離間するように拡げられた状態とに変形させることが可能であり、拡げられた状態で所定容積の内部空間１９が画成され、その内部空間１９に所定の物品（商品）を収容する。物品収納容器１０Ａ（物品収納容器１０Ｂを含む）は、紙（板紙）や合成樹脂シート（プラスチックシート）から作られている。
【００２３】
第１プレート１１は、幅方向へ長い略矩形に成形（カット）され、上下方向へ延びている。第１プレート１１の他方の側縁２０には、略矩形に成形（カット）された上下方向へ長い接合フラップ２１が連接されている。上方フラップ１６は、第１プレート１１の上端縁２２に連接されている。上方フラップ１６は、幅方向へ長い略矩形に成形（カット）され、図１の展開図に示すように、折曲される以前の状態において第１プレート１１の上端縁２２から上下方向上方へ延在する。
【００２４】
上方フラップ１６の両側縁２３には、上下方向へ延びるミシン線２４が形成されているとともに、略矩形に成形（カット）された上下方向へ長い各側部フラップ２５が連接されている。それら側部フラップ２５は、折曲される以前の状態において上方フラップ１６の両側縁２３から幅方向外方へ延在する。それら側部フラップ２５は、上り勾配に傾斜する折曲線２８を介して接合フラップ２１につながり、上り勾配に傾斜する折曲線２８を介して側方フラップ１３につながっている。上方フラップ１６の上端縁２６には、略矩形に成形（カット）された幅方向へ長い頂部フラップ２７が連接されている。頂部フラップ２７は、折曲される以前の状態において上方フラップ１６の上端縁２６から上下方向上方へ延在する。
【００２５】
側方プレート１３は、第１プレート１１の一方の側縁２９と第２プレート１２の一方の側縁３０とに連接されている。側方プレート１３は、幅方向へ長い略矩形に成形（カット）され、上下方向へ延びている。側方プレート１３には、上下方向へ延びる３本の折曲線３１ａ〜３１ｃが形成されている。それら折曲線３１ａ〜３１ｃは、第１プレート１１から第２プレート１２（幅方向外方）に向かって内側折曲線３１ａ、中間折曲線３１ｂ（第２折曲線）、外側折曲線３１ｃの順に並んでいる。側方プレート１３は、内側折曲線３１ａ、中間折曲線３１ｂ、外側折曲線３１ｃで折曲されることで幅方向外方へ凸となるように弧を画く。
【００２６】
第２プレート１２は、幅方向へ長い略矩形に成形（カット）され、上下方向へ延びている。第２プレートの一方の側縁３２には、略矩形に成形（カット）された上下方向へ長い側方プレート１４が連接されている。第２プレート１２の上端縁３３には、上方フラップ３４が連接されている。上方フラップ３４は、幅方向へ長い略矩形に成形（カット）され、第２プレート１２の上端縁３３から上下方向上方へ延在する。
【００２７】
側方プレート１４は、幅方向へ長い略矩形に成形（カット）され、上下方向へ延びている。側方プレート１４には、上下方向へ延びる３本の折曲線３５ａ，３５ｂが形成されている。それら折曲線３５ａ，３５ｂは、第２プレート１２から幅方向外方に向かって内側折曲線３５ａ、外側折曲線３５ｂ（第２折曲線）の順に並んでいる。側方プレート１４は、内側折曲線３５ａ、外側折曲線３５ｂで折曲されることで幅方向外方へ凸となるように弧を画く。側方プレート１４の一方の側縁３６には、略矩形に成形（カット）された上下方向へ長い接合フラップ３７が連接されている。
【００２８】
下方フラップ１８は、略矩形に成形（カット）された幅方向へ長い第１下方フラップ３８と、略楕円形に成形（カット）された幅方向へ長い第２下方フラップ３９とから形成されている。第１下方フラップ３８は、第１プレート１１の下端縁４０に連接されている。第１下方フラップ３８は、第２下方フラップ３９の後記する前半フラップ５５に連結（固定）された連結部４１と、連結部４１の先端に連接された自由部４２とを有する。第１下方フラップ３８は、図１の展開図に示すように、折曲される以前の状態において第１プレート１１の下端縁４０から上下方向下方へ延在する。自由部４２は、第２下方フラップ３９の後記する後半フラップ５４の上面の側に位置して直状に延びている。
【００２９】
第１下方フラップ３８は、連結部４１から幅方向外方へ延びる両側部４３を有する。第１下方フラップ３８の両側部４３は、幅方向外方へ向かうにつれて先細りに成形（カット）されている。第１下方フラップ３８の両側部４３には、前後方向（図１の展開図では上下方向）へ延びる折曲線４４（第３折曲線）が形成されている。第１下方フラップ３８の一方の側部４３の側縁４５は、幅方向外方へ向かうにつれて第１および第２プレート１１，１２の下端縁４０，４９から上端縁２２，３３に向かって上り勾配に傾斜している（図１の展開図では第１および第２プレート１１，１２の下端縁４０，４９から下方へ下り勾配に傾斜）。第１下方フラップ３８の他方の側部４３の側縁４６は、幅方向外方へ向かうにつれて第１および第２プレート１１，１２の下端縁４０，４９から上端縁２２，３３に向かって上り勾配に傾斜している（図１の展開図では第１および第２プレート１１，１２の下端縁４０，４９から下方へ下り勾配に傾斜）。
【００３０】
第１下方フラップ３８の一方の側部４３の側縁４５には、固定フラップ４７（第３固定代）が連接されている。固定フラップ４７（第３固定代）は、側方プレート１３の下方内面に固定（接合）され、第１プレート１１の下端縁４０から上下方向上方に延在している（図１の展開図では第１プレート１１の下端縁４０から下方へ延在）。第１下方フラップ３８の他方の側部４３の側縁４６には、固定フラップ４８（第４固定代）が連接されている。固定フラップ４８（第４固定代）は、側方プレート１４の下方内面（接合フラップ２１の下方内面）に固定（接合）され、第１プレート１１の下端縁４０から上下方向上方に延在している（図１の展開図では第１プレート１１の下端縁４０から下方へ延在）。
【００３１】
第２下方フラップ３９は、第２プレート１２の下端縁４９に連接されている。第２下方フラップ３９は、図１の展開図に示すように、折曲される以前の状態において第２プレート１２の下端縁４９から上下方向下方へ延在する。第２下方フラップ３９は、幅方向外方へ延びる両側部５０を有する。第２下方フラップ３９の両側部５０は、幅方向外方へ向かうにつれて先細りに成形（カット）されている。第２下方フラップ３９の両側部５０には、前後方向（図１の展開図では上下方向）へ延びる折曲線５１（第３折曲線）が形成されている。折曲線５１（第３折曲線）には、前後方向へ延びるスリット５２が形成されている。
【００３２】
第２下方フラップ３９には、幅方向へ延びる折曲線５３（第１折曲線）が形成されている。第２下方フラップ３９は、折曲線５３（第１折曲線）によって二分され、第２プレート１２の側に位置する後半フラップ５４と、第１プレート１１の側に位置する前半フラップ５５とに区分されている。後半フラップ５４の一方の側部５０の側縁５６は、幅方向外方へ向かうにつれて第１および第２プレート１１，１２の下端縁４０，４９から上端縁２２，３３に向かって上り勾配に傾斜している（図１の展開図では第１および第２プレート１１，１２の下端縁４０，４９から下方へ下り勾配に傾斜）。後半フラップ５４の他方の側部５０の側縁５７は、幅方向外方へ向かうにつれて第１および第２プレート１１，１２の下端縁４０，４９から上端縁２２，３３に向かって上り勾配に傾斜している（図１の展開図では第１および第２プレート１１，１２の下端縁４０，４９から下方へ下り勾配に傾斜）。
【００３３】
後半フラップ５４の一方の側部５０の側縁５６には、固定フラップ５８（第１固定代）が連接されている。固定フラップ５８（第１固定代）は、側方プレート１３の下方内面に固定（接合）され、第２プレート１２の下端縁４９から上下方向上方に延在している（図１の展開図では第２プレート１２の下端縁４９から下方へ延在）。後半フラップ５４の他方の側部５０の側縁５７には、固定フラップ５９（第２固定代）が連接されている。固定フラップ５９（第２固定代）は、側方プレート１４の下方内面に固定（接合）され、第２プレート１２の下端縁４９から上下方向上方に延在している（図１の展開図では第２プレート１２の下端縁４９から下方へ延在）。
【００３４】
図１の展開図から物品収容容器１０Ａを組み立てるには、第１下方フラップ３８の一方の側部４３の側縁４５に連接された固定フラップ４７（第３固定代）を側方プレート１３の下方内面に固定（接合）し、第１下方フラップ３８の他方の側部４３の側縁４６に連接された固定フラップ４８（第４固定代）を接合フラップ２１の下方内面（側方プレート１４の下方内面）に固定（接合）する。固定フラップ４７を側方プレート１３に固定し、固定フラップ４８を接合フラップ２１に固定すると、第１下方フラップ３８が第１プレート１１の下端縁４０において折り曲げられる（折曲される）。
【００３５】
後半フラップ５４の一方の側部５０の側縁５６に連接された固定フラップ５８（第１固定代）を側方プレート１３の下方内面に固定（接合）し、後半フラップ５４の他方の側部５０の側縁５７に連接された固定フラップ５９（第２固定代）を側方プレート１４の下方内面に固定（接合）する。固定フラップ５８を側方プレート１３に固定し、固定フラップ５９を側方プレート１４に固定すると、第２１下方フラップ３９が第２プレート１２の下端縁４９において折り曲げられる（折曲される）。
【００３６】
次に、第１プレート１１と接合フラップ２１とを側縁２０において折り曲げ（折曲し）、側方プレート１３を第１プレート１１の側縁２９と第２プレート１２の側縁３０とにおいて折り曲げるとともに（折曲するとともに）、側方プレート１３を折曲線３１ａ〜３１ｃにおいて折り曲げる（折曲する）。第２プレートの一方の側縁３２には、略矩形に成形（カット）された上下方向へ長い側方プレート１４を第２プレートの側縁３２において折り曲げるとともに（折曲するとともに）、側方プレート１４を折曲線３５ａ，３５ｂにおいて折り曲げる（折曲する）。接合フラップ３７を側方プレート１４の側縁３６において折り曲げる（折曲する）。
【００３７】
第１下方フラップ３８を第２下方フラップ３９の上面に位置させ、第１下方フラップ３８の連結部４１を第２下方フラップ３９の前半フラップ５５の中央に連結（固定）するとともに、第１プレート１１の側縁２０に連接された接合フラップ２１と側方プレート１４の側縁３６に連接された接合フラップ３７とを重ね合わせ、接合フラップ２１と接合フラップ３７とを固定（接合）する。組み立てられた物品収容容器１０Ａは、その未使用時に第１および第２プレート１１，１２が当接するように畳まれ、その使用時に第１および第２プレート１１，１２が離間するように拡げられる。
【００３８】
畳まれた状態の物品収容容器１０Ａでは、側方プレート１３，１４が折曲線３１ｂ（第２折曲線）および折曲線３５ｂ（第２折曲線）を中心に折り曲げられ、後半フラップ５４と前半フラップ５５とが折曲線５３（第１折曲線）によって折り曲げられ、後半フラップ５４が第２プレート１２の内面の側に位置して上下方向へ延在し、第１下方フラップ３８と前半フラップ５５とが第１プレート１１の内面の側に位置して上下方向へ延在するとともに、第１下方フラップ３８の自由部４２が折曲線５３（第１折曲線）から上方へ延在する。さらに、後半フラップ５４の両側部５０が第２プレート１２の内面の側に位置して上下方向へ延在し、前半フラップ５５の両側部５０が第１プレート１１の内面の側に位置して上下方向へ延在するとともに、第１下方フラップ３８の両側部４３が第１プレート１１の内面の側に位置して上下方向へ延在する。
【００３９】
拡げられた状態の物品収容容器１０Ａでは、後半フラップ５４と前半フラップ５５とが折曲線５３（第１折曲線）を中心に展開して略一列に並ぶとともに、後半フラップ５４の両側部５０がその側縁５６．５７を中心に折り曲げられ、後半フラップ５４の側部５０と前半フラップ５５の側部５０とが折曲線５３（第１折曲線）を中心に展開し、後半フラップ５４および前半フラップ５５の両側部５０と第１下方フラップ３８の両側部４３とが折曲線５１（第３折曲線）を中心に折り曲げられて幅方向外方へ向かうにつれて第１および第２プレート１１，１２の上端縁２２，３３に向かって上り勾配に傾斜しつつ略一列に並ぶ。
【００４０】
さらに、第１下方フラップ３８の両側部４３がその側縁４５，４６を中心に折り曲げられて前半フラップ５５の側部５０の上面に位置するとともに、第１下方フラップ３８の自由部４２が前半フラップ５５の上面に位置し、後半フラップ５５の側部５０の外周縁６０と前半フラップ５５の側部５０の外周縁６０とが側方プレート１３，１４に当接し、側方プレート１３，１４が後半フラップ５４の側部５０の外周縁６０と前半フラップ５５の側部５０の外周縁６０とに沿って幅方向外方へ凸となるように弧を画き、第１および第２プレート１１，１２の内面どうしが離間して所定容積の内部空間１９が画成される。
【００４１】
図９は、他の一例として示す物品収容容器の展開平面図であり、図１０は、畳まれた状態の物品収納容器１０Ｂの正面図である。図１１は、畳まれた状態の物品収容容器１０Ｂの背面図であり、図１２は、畳まれた状態の物品収容容器１０Ｂの底面図である。図１３は、畳まれた状態の物品収容容器１０Ｂの上面図であり、図１４は、拡げられた状態の物品収納容器１０Ｂの斜視図である。図１５は、拡げられた状態の物品収納容器１０Ｂの底面図であり、図１６は、拡げられた状態の物品収納容器１０Ｂの上面図である。図１４では、上下方向を矢印Ａ、幅方向を矢印Ｂで示し、前後方向を矢印Ｃで示す。
【００４２】
物品収納容器１０Ｂは、互いに対向かつ並行して上下方向へ延びる所定面積の第１プレート１１（前面プレート）および第２プレート１２（後面プレート）と、第１および第２プレート１１，１２の側方に位置する各側方プレート１３，１４（側面プレート）と、上方開口１５（頂部開口）を開閉する所定面積の上方フラップ１６（頂面フラップ）と、下方開口１７（底部開口）を塞ぐ所定面積の下方フラップ１８（底面フラップ）とを備えている。なお、第１プレート１１が後面プレートになり、第２プレート１２が前面プレートになっていてもよい。
【００４３】
第１プレート１１は、幅方向へ長い略矩形に成形（カット）され、上下方向へ延びている。第１プレート１１の他方の側方には、略矩形に成形（カット）された上下方向へ長い接合フラップ２１が一体に連接されている。第１プレート１１の上端縁２２には、幅方向へ長い略矩形に成形（カット）された吊り下げ用フラップ６１が連接され、上方フラップ１６の後記する係合フラップ６５を着脱可能に挿入する挿入スリット６７が形成されている。吊り下げ用フラップ６１は、図９の展開図に示すように、第１プレート１１の上端縁２２から上下方向上方へ延在する。吊り下げ用フラップ６１の略中央には、吊り下げ用フック６２が形成されている。
【００４４】
側方プレート１３は、第１プレート１１の一方の側方と第２プレート１２の他方の側方とに一体に連接されている。側方プレート１３は、幅方向へ長い略矩形に成形（カット）され、上下方向へ延びている。側方プレート１３には、上下方向へ延びる折曲線３１ｂ（第２折曲線）が形成されている。側方プレート１３の上端縁６３は、蓋用フラップ６４が連接されている。蓋用フラップ６４は、図９の展開図に示すように、折曲される以前の状態において側方プレート１３の上端縁６３から上下方向上方へ延在する。
【００４５】
第２プレート１２は、幅方向へ長い略矩形に成形（カット）され、上下方向へ延びている。上方フラップ１６は、第２プレート１２の上端縁３３に連接されている。上方フラップ１６は、幅方向へ長い略矩形に成形（カット）され、図１の展開図に示すように、折曲される以前の状態において第２プレート１２の上端縁３３から上下方向上方へ延在する。上方フラップ１６の上端縁２６には、半円形の係合フラップ６５が連接されている。係合フラップ６５は、折曲される以前の状態において上方フラップ１６の上端縁２６から上下方向上方へ延在する。
【００４６】
側方プレート１４は、第２プレートの一方の側方に一体に連接されている。側方プレート１４は、幅方向へ長い略矩形に成形（カット）され、上下方向へ延びている。側方プレート１４には、上下方向へ延びる折曲線３５ｂ（第２折曲線）が形成されている。側方プレート１４の上端縁６６は、蓋用フラップ６４が連接されている。蓋用フラップ６４は、図９の展開図に示すように、折曲される以前の状態において側方プレート１４の上端縁６６から上下方向上方へ延在する。側方プレート１４の一方の側方には、略矩形に成形（カット）された上下方向へ長い接合フラップ３７が一体に連接されている。
【００４７】
下方フラップ１８は、略矩形に成形（カット）された前後方向へ長い第１下方フラップ３８と、略楕円形に成形（カット）された幅方向へ長い第２下方フラップ３９とから形成されている。第１下方フラップ３８は、第１プレート１１の下端縁４０に連接されている。第１下方フラップ３８は、第２下方フラップ３９の前半フラップ５５に連結（固定）された連結部４１と、連結部４１の先端に連接された自由部４２とを有する。第１下方フラップ３８は、図９の展開図に示すように、折曲される以前の状態において第１プレート１１の下端縁４０から上下方向下方へ延在する。自由部４２は、第２下方フラップ３９の後半フラップ５４の上面の側に位置して直状に延びている。
【００４８】
第１下方フラップ３８は、連結部４１から幅方向外方へ延びる両側部４３を有する。第１下方フラップ３８の両側部４３は、幅方向外方へ向かうにつれて先細りの三角形に成形（カット）されている。第１下方フラップ３８の両側部４３には、前後方向（図９の展開図では上下方向）へ延びる折曲線４４（第３折曲線）が形成されている。第１下方フラップ３８の一方の側部４３の側縁４５は、幅方向外方へ向かうにつれて第１および第２プレート１１，１２の下端縁４０，４９から上端縁２２，３３に向かって上り勾配に傾斜している（図９の展開図では第１および第２プレート１１，１２の下端縁４０，４９から下方へ下り勾配に傾斜）。第１下方フラップ３８の他方の側部４３の側縁４６は、幅方向外方へ向かうにつれて第１および第２プレート１１，１２の下端縁４０，４９から上端縁２２，３３に向かって上り勾配に傾斜している（図９の展開図では第１および第２プレート１１，１２の下端縁４０，４９から下方へ下り勾配に傾斜）。
【００４９】
第１下方フラップ３８の一方の側部４３の側縁４５には、固定フラップ４７（第３固定代）が連接されている。固定フラップ４７（第３固定代）は、第１プレート１１の下方内面に固定（接合）され、第１プレート１１の下端縁４０から上下方向上方に延在している（図９の展開図では第１プレート１１の下端縁４０から下方へ延在）。第１下方フラップ３８の他方の側部４３の側縁４６には、固定フラップ４８（第４固定代）が連接されている。固定フラップ４８（第４固定代）は、第１プレート１１の下方内面に固定（接合）され、第１プレート１１の下端縁４０から上下方向上方に延在している（図９の展開図では第１プレート１１の下端縁４０から下方へ延在）。
【００５０】
第２下方フラップ３９は、第２プレート１２の下端縁４９に連接されている。第２下方フラップ３９は、図９の展開図に示すように、折曲される以前の状態において第２プレート１２の下端縁４９から上下方向下方へ延在する。第２下方フラップ３９は、幅方向外方へ延びる両側部５０を有する。第２下方フラップ３９の両側部５０は、幅方向外方へ向かうにつれて先細りの略半円形に成形（カット）されている。第２下方フラップ３９の両側部５０には、前後方向（図９の展開図では上下方向）へ延びる折曲線５１（第３折曲線）が形成されている。
【００５１】
第２下方フラップ３９には、幅方向へ延びる折曲線５３（第１折曲線）（一部切り込み線）が形成されている。第２下方フラップ３９は、折曲線５３（第１折曲線）によって二分され、第２プレート１２の側に位置する後半フラップ５４と、第１プレート１１の側に位置する前半フラップ５５とに区分されている。後半フラップ５４の一方の側部５０の側縁５６は、幅方向外方へ向かうにつれて第１および第２プレート１１，１２の下端縁４０，４９から上端縁２２，３３に向かって上り勾配に傾斜している（図９の展開図では第１および第２プレート１１，１２の下端縁４０，４９から下方へ下り勾配に傾斜）。後半フラップ５４の他方の側部５０の側縁５７は、幅方向外方へ向かうにつれて第１および第２プレート１１，１２の下端縁４０，４９から上端縁２２，３３に向かって上り勾配に傾斜している（図９の展開図では第１および第２プレート１１，１２の下端縁４０，４９から下方へ下り勾配に傾斜）。
【００５２】
後半フラップ５４の一方の側部５０の側縁５６には、固定フラップ５８（第１固定代）が連接されている。固定フラップ５８（第１固定代）は、第２プレート１２の下方内面に固定（接合）され、第２プレート１２の下端縁４９から上下方向上方に延在している（図９の展開図では第２プレート１２の下端縁４９から下方へ延在）。後半フラップ５４の他方の側部５０の側縁５７には、固定フラップ５９（第２固定代）が連接されている。固定フラップ５９（第２固定代）は、第２プレート１２の下方内面に固定（接合）され、第２プレート１２の下端縁４９から上下方向上方に延在している（図９の展開図では第２プレート１２の下端縁４９から下方へ延在）。
【００５３】
図９の展開図から物品収容容器１０Ｂを組み立てるには、第１下方フラップ３８の一方の側部４３の側縁４５に連接された固定フラップ４７（第３固定代）を第１プレート１１の下方内面に固定（接合）し、第１下方フラップ３８の他方の側部４３の側縁４６に連接された固定フラップ４８（第４固定代）を第１プレート１１の下方内面に固定（接合）する。固定フラップ４７，４８を第１プレート１１に固定すると、第１下方フラップ３８が第１プレート１１の下端縁４０において折り曲げられる（折曲される）。
【００５４】
後半フラップ５４の一方の側部５０の側縁５６に連接された固定フラップ５８（第１固定代）を第２プレート１２の下方内面に固定（接合）し、後半フラップ５４の他方の側部５０の側縁５７に連接された固定フラップ５９（第２固定代）を第２プレート１２の下方内面に固定（接合）する。固定フラップ５８，５９を第２プレート１２に固定すると、第２１下方フラップ３９が第２プレート１２の下端縁４９において折り曲げられる（折曲される）。
【００５５】
次に、第１プレート１１と接合フラップ２１とを側縁２０において折り曲げ（折曲し）、側方プレート１３を折曲線３１ｂにおいて折り曲げ（折曲し）、側方プレート１４を折曲線３５ｂにおいて折り曲げる（折曲する）。第１下方フラップ３８を第２下方フラップ３９の上面に位置させ、第１下方フラップ３８の連結部４１を第２下方フラップ３９の前半フラップ５５の中央に連結（固定）するとともに、第１プレート１１に一体に連接された接合フラップ２１と側方プレート１４に一体に連接された接合フラップ３７とを重ね合わせ、接合フラップ２１と接合フラップ３７とを固定（接合）する。
【００５６】
蓋用フラップ６４を側方プレート１３の上端縁６３において折り曲げ（折曲し）、蓋用フラップ６４を側方プレート１４の上端縁６６において折り曲げるとともに（折曲するとともに）、上方フラップ１６を第２プレート１２の上端縁３３において折り曲げ（折曲し）、係合フラップ６５を上方フラップ１６の上端縁２６において折り曲げる（折曲する）。係合フラップ６５を挿入スリット６７に挿入し、上方開口を閉じる。組み立てられた物品収容容器１０Ｂは、その未使用時に第１および第２プレート１１，１２が当接するように畳まれ、その使用時に第１および第２プレート１１，１２が離間するように拡げられる。
【００５７】
畳まれた状態の物品収容容器１０Ｂでは、側方プレート１３，１４が折曲線３１ｂ（第２折曲線）および折曲線３５ｂ（第２折曲線）を中心に折り曲げられ、後半フラップ５４と前半フラップ５５とが折曲線５３（第１折曲線）によって折り曲げられ、後半フラップ５４が第２プレート１２の内面の側に位置して上下方向へ延在し、第１下方フラップ３８と前半フラップ５５とが第１プレート１１の内面の側に位置して上下方向へ延在するとともに、第１下方フラップ３８の自由部４２が折曲線５３（第１折曲線）から上方へ延在する。さらに、後半フラップ５４の両側部５０が第２プレート１２の内面の側に位置して上下方向へ延在し、前半フラップ５５の両側部５０が第１プレート１１の内面の側に位置して上下方向へ延在するとともに、第１下方フラップ３８の両側部４３が第１プレート１１の内面の側に位置して上下方向へ延在する。
【００５８】
拡げられた状態の物品収容容器１０Ｂでは、後半フラップ５４と前半フラップ５５とが折曲線５３（第１折曲線）を中心に展開して略一列に並ぶとともに、後半フラップ５４の両側部５０がその側縁５６，５７を中心に折り曲げられ、後半フラップ５４の側部５０と前半フラップ５５の側部５０とが折曲線５３（第１折曲線）を中心に展開し、後半フラップ５４および前半フラップ５５の両側部５０と第１下方フラップ３８の両側部４３とが折曲線５１（第３折曲線）を中心に折り曲げられて幅方向外方へ向かうにつれて第１および第２プレート１１，１２の上端縁２２，３３に向かって上り勾配に傾斜しつつ略一列に並ぶ。
【００５９】
さらに、第１下方フラップ３８の両側部４３がその側縁４５，４６を中心に折り曲げられて前半フラップ５５の側部５０の上面に位置するとともに、第１下方フラップ３８の自由部４２が前半フラップ５５の上面に位置し、自由部４２の先端が第２プレート１２の内面に当接しまたは近傍に位置する。後半フラップ５５の側部５０の外周縁６０と前半フラップ５５の側部５０の外周縁６０とが側方プレート１３，１４に当接し、側方プレート１３，１４が後半フラップ５４の側部５０の外周縁６０と前半フラップ５５の側部５０の外周縁６０とに沿って幅方向外方へ凸となるように弧（円弧）を画き、第１および第２プレート１１，１２の内面どうしが離間して所定容積の内部空間１９が画成される。
【００６０】
物品収容容器１０Ａや物品収容容器１０Ｂは、それらが畳まれた状態において、側方プレート１３，１４が折曲線３１ｂ（第２折曲線）および折曲線３５ｂ（第２折曲線）を中心に折り曲げられ、後半フラップ５４と前半フラップ５５とが折曲線５３（第１折曲線）によって折り曲げられ、後半フラップ５４が第２プレート１２の内面の側に位置して上下方向へ延在し、第１下方フラップ３８と前半フラップ５５とが第１プレート１１の内面の側に位置して上下方向へ延在するとともに、第１下方フラップ３８の自由部４２が折曲線５３（第１折曲線）から上方へ延在する。さらに、後半フラップ５４の両側部５０が第２プレート１２の内面の側に位置して上下方向へ延在し、前半フラップ５５の両側部５０が第１プレート１１の内面の側に位置して上下方向へ延在するとともに、第１下方フラップ３８の両側部４３が第１プレート１１の内面の側に位置して上下方向へ延在するから、前半フラップ５５や後半フラップ５４、第１下方フラップ３８が第１および第２プレート１１，１２に略平行し、第１および第２プレート１１，１２が当接するように容器１０Ａ，１０Ｂの扁平状態が維持され、その未使用時に畳まれた状態を維持してコンパクトにすることができ、未使用時に嵩張ることなく保管することができる。
【００６１】
物品収容容器１０Ａや物品収容容器１０Ｂは、第１および第２プレート１１，１２が離間するように拡げることで、後半フラップ５４と前半フラップ５５とが折曲線５３（第１折曲線）を中心に展開して略一列に並ぶとともに、後半フラップ５４の両側部５０がその側縁５６，５７を中心に折り曲げられ、後半フラップ５４の側部５０と前半フラップ５５の側部５０とが折曲線５３（第１折曲線）を中心に展開し、後半フラップ５４および前半フラップ５５の両側部５０と第１下方フラップ３８の両側部４３とが折曲線５１（第３折曲線）を中心に折り曲げられて幅方向外方へ向かうにつれて第１および第２プレート１１，１２の上端縁２２，３３に向かって上り勾配に傾斜しつつ略一列に並ぶから、容器１０Ａ，１０Ｂの使用時に畳まれた状態から拡げられた状態に容易に変形させることができ、第１および第２プレート１１，１２の内面どうしが離間することで物品を収容可能な所定容積の内部空間１９を容易に画成することができる。
【００６２】
物品収容容器１０Ａや物品収容容器１０Ｂは、それらが拡げられたときに、第１下方フラップ３８の連結部４１に連接されて直状に延びる第１下方フラップ３８の自由部４２が前半フラップ５５の上面に位置して前半フラップ５５と後半フラップ５４とを押さえ、第１下方フラップ３８の自由部４２によって折曲線５３（第１折曲線）による前半フラップ５５および後半フラップ５４の折り曲げが阻止されるから、容器１０Ａ，１０Ｂの拡げられた状態を維持することができ、所定容積の内部空間１９に物品を容易に収容することができる。
【符号の説明】
【００６３】
１０Ａ  物品収納容器
１０Ｂ  物品収納容器
１１    第１プレート
１２    第２プレート
１３    側方プレート
１４    側方プレート
１５    上方開口
１６    上方フラップ
１７    下方開口
１８    下方フラップ
１９    内部空間
２０    第１プレートの側縁
２１    接合フラップ
２２    第１プレートの上端縁
２３    上方フラップの両側縁
２４    ミシン線
２５    側部フラップ
２６    上方フラップの上端縁
２７    頂部フラップ
２８    折曲線
２９    第１プレートの側縁
３０    第２プレートの側縁
３１ａ  内側折曲線
３１ｂ  中間折曲線（第２折曲線）
３１ｃ  外側折曲線
３２    第２プレートの側縁
３３    第２プレートの上端縁
３４    上方フラップ
３５ａ  内側折曲線
３５ｂ  外側折曲線（第２折曲線）
３６    側方プレートの側縁
３７    接合フラップ
３８    第１下方フラップ
３９    第２下方フラップ
４０    第１プレートの下端縁
４１    連結部
４２    自由部
４３    第１下方フラップの両側部
４４    折曲線
４５    第１下方フラップの側縁
４６    第１下方フラップの側縁
４７    固定フラップ（第３固定代）
４８    固定フラップ（第４固定代）
４９    第２プレートの下端縁
５０    第２下方フラップの両側部
５１    折曲線（第３折曲線）
５２    スリット
５３    折曲線（第１折曲線）
５４    後半フラップ
５５    前半フラップ
５６    後半フラップの側縁
５７    後半フラップの側縁
５８    固定フラップ（第１固定代）
５９    固定フラップ５８（第２固定代）
６０    後半フラップおよび前半フラップの外周縁
６１    吊り下げ用フラップ
６２    吊り下げ用フック
６３    側方プレートの上端縁
６４    蓋用フラップ
６５    係合フラップ
６６    側方プレートの上端縁
６７    挿入スリット
【図１】
0003209999.tif 000003
【図２】
0003209999.tif 000004
【図３】
0003209999.tif 000005
【図４】
0003209999.tif 000006
【図５】
0003209999.tif 000007
【図６】
0003209999.tif 000008
【図７】
0003209999.tif 000009
【図８】
0003209999.tif 000010
【図９】
0003209999.tif 000011
【図１０】
0003209999.tif 000012
【図１１】
0003209999.tif 000013
【図１２】
0003209999.tif 000014
【図１３】
0003209999.tif 000015
【図１４】
0003209999.tif 000016
【図１５】
0003209999.tif 000017
【図１６】
0003209999.tif 000018